(57)【特許請求の範囲】
【請求項１】
直方体形状をなす車両用の箱型荷台であって、
該箱型荷台の荷室内は床面から天井面まで延びる仕切り壁により複数個の空間に分割され、
該仕切り壁には、該箱型荷台の側面と平行に、取り外し可能に設置される１個又は複数個の左右仕切り壁部材が含まれており、さらに、
該箱型荷台の荷室の天井面には、該箱型荷台の側面と平行に延び、該左右仕切り壁部材の上端部が挿入される凹状の天井レールが設けられると共に、該箱型荷台の荷室内の床面には、該箱型荷台の側面と平行に延び、該左右仕切り壁部材の下端部が挿入される凹状の床面レールが設けられ、該天井レールにおいて該左右仕切り壁部材の上端部が挿入されていない部分には、天井レールカバーが装着され、かつ、該天井レールの内部及び該左右仕切り壁部材の上端部の少なくとも一方と、該天井レールカバーの上面及び該天井レールの内部の少なくとも一方とには、弾性を備えたシール部材が取り付けられており、
該左右仕切り壁部材が該箱型荷台の荷室内に設置されると、該左右仕切り壁部材の上端部と該天井レールとの間が該シール部材を介して密閉状態となり、
該天井レールカバーが該天井レールに装着されると、該箱型荷台の荷室の天井面は面一になると共に、該天井レールカバーの上面と該天井レールとの間が該シール部材を介して密閉状態となる、ことを特徴とする箱型荷台。
【請求項２】
該シール部材は、該天井レールの内部に取り付けられている、請求項１に記載の箱型荷台。
【請求項３】
該シール部材は、該左右仕切り壁部材の上端部に取り付けられている、請求項１又は２に記載の箱型荷台。
【請求項４】
該シール部材は、該天井レールカバーの上面に取り付けられている、請求項１乃至３のいずれかに記載の箱型荷台。
【請求項５】
該天井レールカバーは係合部を備えていると共に該天井レールは被係合部を備えており、
該天井レールカバーが該天井レールに装着されると、該天井レールカバーの係合部と該天井レールの被係合部とが弾性的に係合する、請求項1乃至４のいずれかに記載の箱型荷台。
【請求項６】
該天井レールカバーの下面には把持部が配設されている、請求項１乃至５のいずれかに記載の箱型荷台。
【請求項７】
該仕切り壁は、該箱型荷台の前面と平行に設置される１個又は複数個の前後仕切り壁部材を含む、請求項１乃至６のいずれかに記載の箱型荷台。
【請求項８】
該仕切り壁により分割された複数個の該空間のいずれかは断熱材により囲まれ、断熱材により囲まれた該空間には室内を冷却するエバポレータが設置されて、その室温が常温よりも低く設定可能な、請求項１乃至７のいずれかに記載の箱型荷台。
【発明の詳細な説明】
【技術分野】
【０００１】
本発明は、荷室が仕切り壁により複数個の空間に分割された、直方体形状をなす車両用の箱型荷台に関する。
【背景技術】
【０００２】
貨物輸送用の車両であるトラックの荷台として、屋根を備え周囲が密閉された直方体形状の箱型荷台が広く普及している。箱型荷台は通常、天井面及び床面、左右の側壁及び前後面からなる６面体であって、荷台後部には観音開き式の後部ドアが設置され、貨物の積み下ろしは後部ドアを開放して行われる。箱型荷台には、風雨等による貨物の損傷を防止でき、梱包を簡易化できると共に荷崩れの防止も容易である、という利点がある。
【０００３】
また、トラック等による貨物輸送の分野では、通常の貨物の輸送だけでなく、精密機器など、塵や埃が荷室内に混入するのが特に好ましくない貨物や、野菜、魚介類等の生鮮食料品或いは冷凍食品など、傷みやすい貨物の輸送についても需要がある。精密機器等の輸送には、一般に、密閉式の箱型荷台を搭載した専用車両が使用され、生鮮食料品又は冷凍食品等の輸送には、断熱パネルによって囲まれた密閉式の箱型荷台を搭載し、その荷室内の温度を、冷凍装置等を用いて一定温度に保つ定温輸送車が使用されている。
【０００４】
通常の貨物と共に生鮮食料品又は冷凍食品等を同時に輸送する際には、箱型荷台の荷室に、温度管理をしない常温の荷室（以下ではドライ室と言うこともある）と、冷蔵品を保管するのに適した常温より低い室温の冷蔵室と、冷凍品を保管するのに適した、冷蔵室より低い室温の冷凍室と、を設ける箱型荷台も一般的に使用されている。このような箱型荷台は、一例として特許第５３６０９１０号公報に示されている。
【０００５】
この公報の箱型荷台の構造を図１１に示す。車両に架装された箱型荷台１０２は直方体形状であって、箱型荷台１０２の荷室内は床面から天井面まで延びる仕切り壁１０４によって３個の空間に分割されている。仕切り壁１０４には、箱型荷台１０２の荷室を左右に仕切る４個の左右仕切り壁部材１０６と、箱型荷台１０２の荷室を前後に仕切る２個の前後仕切り壁部材１０８とが含まれる。夫々の左右仕切り壁部材１０６の片側壁面の後方下端角部と他側壁面の前方上端角部には凹部１１０が設けられている。図１１の凹部拡大図を参照することによって理解されるとおり、凹部１１０における左右仕切り壁部材１０６の壁面には落とし錠１１２が設けられており、この落とし錠１１２は上下方向に進退可能なロッド１１４を備えている。そして、夫々の左右仕切り壁部材１０６を箱型荷台１０２の側面と平行に相互に密着した状態で箱型荷台１０２の荷室内の所定位置に位置づけ、落とし錠１１２のロッド１１４を箱型荷台１０２の荷室の床面及び天井面の所定位置に設けられた孔１１６に挿通することにより、左右仕切り壁部材１０６は箱型荷台１０２の荷室の床面及び天井面に対する左右方向及び前後方向への移動が規制され箱型荷台１０２の荷室内に取り外し可能に設置される。
【先行技術文献】
【特許文献】
【０００６】
【特許文献１】特許第５３６０９１０号公報
【発明の概要】
【発明が解決しようとする課題】
【０００７】
上記特許文献１に開示されている箱型荷台１０２においては、落とし錠１１２のロッド１１４を箱型荷台１０２の荷室の床面及び天井面の所定位置に設けられた孔１１６に挿通して左右仕切り壁部材１０６が箱型荷台１０２の荷室内に設置されることに起因して、以下のような問題点がある。
落とし錠１１２は左右仕切り壁部材１０６を充分支持することができる程度の強度を有する必要があるため、落とし錠１１２は通常、相当な重量を有する金属製である。そのため、かような落とし錠１１２が設けられた左右仕切り壁部材１０６も比較的重くなり、作業者による左右仕切り壁部材１０６の設置及び取り外し作業の負荷が増大する。
また、箱型荷台１０２の荷室の床面及び天井面に設けられた孔１１６の位置によって左右仕切り壁部材１０６の設置位置は予め固定されてしまうため、仕切り壁１０４により分割された夫々の空間の容積の調整についての自由度が低く、箱型荷台１０２の荷室全体としての貨物の収納効率が低下してしまう虞がある。
更に、全ての左右仕切り壁部材１０６の壁面の所定位置に凹部１１０を形成し、この凹部１１０における左右仕切り壁部材１０６の壁面に落とし錠１１２を設けるのは手間とコストがかかる。
【０００８】
本発明は上記事実に鑑みてなされたものであって、その課題は、箱型荷台に改良を加えて、軽量且つ低コストの仕切り壁により荷室内を複数個の空間に分割することができ、分割された複数個の空間の夫々の容積の調整についての自由度が高い箱型荷台を提供することである。
【課題を解決するための手段】
【０００９】
上記課題に鑑み、本発明は、箱型荷台の荷室の天井面に、箱型荷台の側面と平行に延び、左右仕切り壁部材の上端部が挿入される凹状の天井レールを設けると共に、箱型荷台の荷室内の床面に、箱型荷台の側面と平行に延び、左右仕切り壁部材の下端部が挿入される凹状の床面レールを設け、かつ、天井レールの内部及び左右仕切り壁部材の上端部の少なくとも一方に、弾性を備えたシール部材を取り付け、左右仕切り壁部材が箱型荷台の荷室内に設置されると、左右仕切り壁部材の上端部と天井レールとの間がシール部材を介して密閉状態となるようにしたものである。
【００１０】
即ち、本発明によれば、直方体形状をなす車両用の箱型荷台であって、
該箱型荷台の荷室内は床面から天井面まで延びる仕切り壁により複数個の空間に分割され、
該仕切り壁には、該箱型荷台の側面と平行に、取り外し可能に設置される１個又は複数個の左右仕切り壁部材が含まれており、さらに、
該箱型荷台の荷室の天井面には、該箱型荷台の側面と平行に延び、該左右仕切り壁部材の上端部が挿入される凹状の天井レールが設けられると共に、該箱型荷台の荷室内の床面には、該箱型荷台の側面と平行に延び、該左右仕切り壁部材の下端部が挿入される凹状の床面レールが設けられ、該天井レールにおいて該左右仕切り壁部材の上端部が挿入されていない部分には、天井レールカバーが装着され、かつ、該天井レールの内部及び該左右仕切り壁部材の上端部の少なくとも一方と、該天井レールカバーの上面及び該天井レールの内部の少なくとも一方とには、弾性を備えたシール部材が取り付けられており、
該左右仕切り壁部材が該箱型荷台の荷室内に設置されると、該左右仕切り壁部材の上端部と該天井レールとの間が該シール部材を介して密閉状態となり、
該天井レールカバーが該天井レールに装着されると、該箱型荷台の荷室の天井面は面一になると共に、該天井レールカバーの上面と該天井レールとの間が該シール部材を介して密閉状態となる、ことを特徴とする箱型荷台が提供される。
【００１１】
本発明においては、次のような実施態様を採ることが可能である。
該シール部材は、該天井レールに延在して設けられていてもよく、該左右仕切り壁部材の上端部に設けられていてもよい。
該シール部材は、該天井レールカバーの上面に取り付けられているのが好ましい。
また、該天井レールカバーは係合部を備えていると共に該天井レールは被係合部を備えており、該天井レールカバーが該天井レールに装着されると、該天井レールカバーの係合部と該天井レールの被係合部とが弾性的に係合するのが好適である。更にまた、該天井レールカバーの下面には把持部が配設されているのが好ましい。
好適には、該仕切り壁として、該箱型荷台の前面と平行に設置される１個又は複数個の前後仕切り壁部材を設ける。また、該仕切り壁により分割された複数個の該空間のいずれかは断熱材により囲まれ、断熱材により囲まれた該空間には室内を冷却するエバポレータを設置して、その室温を常温よりも低くすることができる。
【発明の効果】
【００１２】
本発明の箱型荷台においては、箱型荷台の荷室の天井面に、箱型荷台の側面と平行に延び、左右仕切り壁部材の上端部が挿入される凹状の天井レールが設けられると共に、箱型荷台の荷室内の床面に、箱型荷台の側面と平行に延び、左右仕切り壁部材の下端部が挿入される凹状の床面レールが設けられ、天井レールにおいて左右仕切り壁部材の上端部が挿入されていない部分には、天井レールカバーが装着される。そして、天井レールの内部及び左右仕切り壁部材の上端部の少なくとも一方と、天井レールカバーの上面及び天井レールの内部の少なくとも一方とには、弾性を備えたシール部材が取り付けられている。そして、左右仕切り壁部材が箱型荷台の荷室内に設置されると、左右仕切り壁部材の上端部と天井レールとの間がシール部材を介して密閉状態となる。また、天井レールカバーが天井レールに装着されると、箱型荷台の荷室の天井面は面一になると共に、天井レールカバーの上面と天井レールとの間がシール部材を介して密閉状態となる。
左右仕切り壁部材が箱型荷台の荷室内に設置されると、左右仕切り壁部材は、その上端部が天井レールによってその下端部が床面レールによって左右方向の移動が規制されると共に、その上端部と天井レールとの摩擦力及びその下端部と床面レールとの摩擦力とによって前後方向の移動が規制される。これにより、本発明における箱型荷台においては、左右仕切り壁部材に落とし錠のような比較的重い部材を設けることなく荷室内に左右仕切り壁を設置することができ左右仕切り壁を軽量にすることが可能となり、作業者による左右仕切り壁部材の設置及び取り外し作業の負荷を軽減させることが可能となる。
【００１３】
また、本発明の箱型荷台においては、左右仕切り壁部材の上端部を天井レールに挿入すると共にその下端部を床面レール内に挿入しさえすれば、左右仕切り壁部材を荷室内の任意の場所に設置することが可能であるため、仕切り壁により分割された荷室内の夫々の空間の容積を調整する自由度が高い。従って、収納する貨物の量に応じて夫々の空間を自由に調整ができ、箱型荷台の荷室全体としての貨物の収納効率を高めることが可能となる。
さらに、本発明では、天井レールの内部及び左右仕切り壁部材の上端部の少なくとも一方には、弾性を備えたシール部材が取り付けられている。そのため、左右仕切り壁部材が箱型荷台の荷室内に設置されると、左右仕切り壁部材の上端部と天井レールとの間がシール部材を介して密閉状態となり、左右仕切り壁部材により分割された荷室内の空間内への塵や埃の侵入、夫々の空間の室温が異なる場合には空間間の冷気又は暖気の移動を防止することができる。また、シール部材は弾性を有しているので、左右仕切り壁部材を天井レール及び床面レールに嵌め込んで設置する際には、シール部材が変形し、容易に設置作業を行うことができる。
【図面の簡単な説明】
【００１４】
【図１】箱型荷台を備えた車両を左側前方から見た概要を示す斜視図。
【図２】図１に図示する箱型荷台の荷室の平面図。
【図３】図１に図示する箱型荷台の荷室のＸ−Ｘ断面図。
【図４】図３の天井レール及び床面レールの部分拡大図。
【図５】図１に図示する箱型荷台の荷室のＹ−Ｙ断面図。
【図６】図１に図示する箱型荷台の荷室において仕切り壁の位置を変更した状態を示す図。
【図７】図1に図示する箱型荷台の荷室において左右仕切り壁部材の一部又は全部を取り外して前後仕切り壁部材の位置を変更した状態を示す図。
【図８】図７において箱型荷台の荷室内から前後仕切り壁を見た図。
【図９】天井レールカバー及び床面レールカバーを示す図。
【図１０】図８において天井レールカバーが天井レールに装着された状態を示す図。
【図１１】仕切り壁により複数個の空間に分割された従来の箱型荷台の一例を示す図。
【発明を実施するための形態】
【００１５】
以下、添付図面を参照して、更に詳細に説明する。以下の説明において、前後左右及び上下方向は、特に指定しない限り車両進行方向を基準とする。
【００１６】
まず、箱型荷台を備えた車両を図示している図１を参照して説明すると、全体を番号２で示す箱型荷台はトラック等の貨物搬送用車両の後部に載架される。
図１と共に図２及び図３を参照して説明を続けると、箱型荷台２は前面パネル４と、後部ドア６と、左側面パネル８と、右側面パネル１０と、天面パネル１２と、床部材１４と、からなる直方体形状として構成される。箱型荷台２の後部におかれる後部ドア６は、後部フレームに嵌め込まれた２枚のドア板からなり、各々のドア板は、その外側縁が後部フレームの左右の柱部と適宜のヒンジ手段により接続されていて、箱型荷台２の外側に向かって水平方向に開く観音開き式のドア構造である。かようなドア構造は周知のドア構造であってよく、本明細書ではその詳細な説明を省略する。左側面パネル８の前方には箱型荷台２の荷室内へ連通するスライドドア１６が設置されている。かようなスライドドア１６は周知のスライドドアであってよく、本明細書においてはその詳細についての記載を省略する。
【００１７】
箱型荷台２の荷室の天井面（即ち、天面パネル１２の下面）には箱型荷台２の側面（即ち、左側面パネル８及び右側面パネル１０）と平行に延び、後述する左右仕切り壁部材の上端部が挿入される凹状の天井レール２０が設けられると共に、箱型荷台２の荷室の床面（即ち、床部材１４の上面）には箱型荷台２の側面と平行に延び、後述する左右仕切り壁部材の下端部が挿入される凹状の床面レール２２が設けられている。
図５を参照して説明を続けると、図示の実施形態においては、天井レール２０は、箱型荷台２の荷室の底面と対向するレール面２０ａと、このレール面２０ａの両側縁から下方に実質上垂直に垂下する一対のレール側面２０ｂと、レール側面２０ｂの下端から実質上水平方向外側に延出するフランジ部２０ｃと、複数個の被係合部２０ｄとを備える（図８も参照）。被係合部２０ｄは対向するレール側面２０ｂの所定位置において天井レール２０の開口溝内に膨出する部材である。図示の実施形態においては、被係合部２０ｄは片側が平坦である半球形状部材であって、その平坦面がレール側面２０ｂに適宜の固定手段により固定されている。所望ならば、被係合部２０ｄは後述する固定手段の一部（例えばボルトの頭部分）であってもよい。図５と共に図２及び図３を参照して説明を続けると、天面パネル１２の下面の左右方向中心位置には荷室の後方端から前方に向かって直線状に荷室の前後方向長さの４／５程度延びる天井溝２４が設けられ、天井レール２０は、そのレール面２０ａとレール側面２０ｂとが天井溝２４の溝内に嵌め合わされた状態で、レール側面２０ｂとフランジ部２０ｃがボルトの如き適宜の固定手段により天面パネル１２に固定されている。
天井レール２０の内部及び後述する左右仕切り壁部材の上端部の少なくとも一方には、弾性を備えたシール部材が取り付けられている。図示の実施形態においては、天井レール２０の内部、更に詳細にはレール面２０ａの下面、にシール部材２６が設けられている（後述するとおり、左右仕切り壁部材の上端部にもシール部材は設けられている）。シール部材２６としては、例えばウレタンフォーム（発砲ポリウレタン）が使用されるが、柔軟性のある種々の発泡合成樹脂材料が利用可能である。シール部材２６は天井レール２０のレール面２０ａの下面に接着剤の如き適宜の接着手段を介して接着されている。
【００１８】
図５を参照して説明を続けると、床面レール２２は、天井レール２０のレール面２０ａと対向するレール面２２ａと、このレール面２２ａの両側縁から上方に実質上垂直に立設するレール側面２２ｂと、このレール側面２２ｂの上端から実質上水平方向外側に延出するフランジ部２２ｃとを備える。床面レール２２のレール側面２２ｂは天面レール２０のレール側面２０ｂよりも短い、換言すると、床面レール２２は天面レール２０よりも開口溝の深さが浅い。床部材１４の上面において天井溝２４と対向する位置には床部材溝２８が設けられており、床面レール２２は、そのレール面２２ａとレール側面２２ａとが床部材溝２８に嵌め合わされた状態で、フランジ部２２ｃが床部材１４にボルトの如き適宜の固定手段により固定されている。
【００１９】
図２及び図３を参照して説明を続けると、箱型荷台２の荷室内は床面から天井面まで延びる仕切り壁３０により複数個の空間に分割されている。図示の実施形態においては、箱型荷台２の荷室内は仕切り壁３０によって３個の空間Ａ、Ｂ、Ｃに分割されている。
仕切り壁３０には、箱型荷台２の側面と平行に、取り外し可能に設置された４個の左右仕切り壁部材３２と、箱型荷台２の前面と平行に設置された２個の前後仕切り壁部材３４が含まれている。左右仕切り壁部材３２及び前後仕切り壁部材３４はいずれも矩形形状であって、その下辺を除く各辺にはシール部材３６が配設されている。即ち、シール部材３６は、左右仕切り壁部材３２の上端部にも取り付けられている。シール部材３６としては、例えばウレタンフォーム（発砲ポリウレタン）が使用されるが、柔軟性のある種々の発泡合成樹脂材料が利用可能である。シール部材３６は左右仕切り壁部材３２及び前後仕切り壁部材３４の下辺を除く各辺に接着テープの如き適宜の接着手段を介して接着されている。左右仕切り壁部材３２の壁面には、前後仕切り壁部材３４を固定する際に使用されるラッシングレール３８と、使用者が左右仕切り壁部材３２を設置及び取り外す際に使用する３個の帯状掴み部４０とが設けられている。ラッシングレール３８は周知のものでよく、本明細書においてはその詳細についての記載を省略する。
【００２０】
図５を参照して説明すると、左右仕切り壁部材３２は、最初に、図５の破線で示すとおり、左右仕切り壁部材３２を鉛直方向に対して幾分傾斜させた状態で左右仕切り壁部材３２の上端部を天井レール２０に挿入し、次いで、天井レール２０に挿入した左右仕切り壁部材３２の上端部を旋回中心として左右仕切り壁部材３２を直立方向に漸次旋回させると共に幾分上方に持ち上げて、左右仕切り壁部材３２の下端部を床面レール２２に押し込んで挿入することにより、箱型荷台２の荷室内に設置される。シール部材２６及びシール部材３６は弾性を有しているので、左右仕切り壁部材３２の上端部を天井レール２０に嵌め込む際には、シール部材２６及びシール部材３６が変形し、容易に設置作業を行うことができる。
左右仕切り壁部材３２が箱型荷台２の荷室内に設置された状態にあっては、左右仕切り壁部材３２は、その上端部が天井レール２０によってその下端部が床面レール２２によって左右方向の移動が規制されると共に、その上端部と天井レール２０との摩擦力及びその下端部と床面レール２２との摩擦力とによって前後方向の移動が規制される。これにより、箱型荷台２においては、左右仕切り壁部材３２に落とし錠のような比較的重い部材を設けることなく荷室内に左右仕切り壁部材３２を設置することができ左右仕切り壁部材３２を軽量にすることが可能となり、作業者による左右仕切り壁部材３２の設置及び取り外し作業の負荷を軽減させることが可能となる。
左右仕切り壁部材３２が箱型荷台２の荷室内に設置されると、図５を参照することによって明確に理解されるとおり、左右仕切り壁部材３２の上端部と天井レール２０との間が天井レール２０のシール部材２６と左右仕切り壁部材３２のシール部材３６を介して密閉状態となる。上記したとおりにして４個の左右仕切り壁部材３２が夫々箱型荷台２の荷室に設置されると、図３を参照することによって明確に理解されるとおり、４個の左右仕切り壁部材３２は、夫々の前後端面の間がシール部材３６を介して密閉状態となり全体として１枚壁の状態となる。
【００２１】
図２及び図３を参照して説明を続けると、２個の前後仕切り壁部材３４は、その左右端面の間がシール部材３６を介して密閉状態となり全体として１枚壁の状態で、前方端に位置する左右仕切り壁部材３２の前方端面に設けられたシール部材３６と密着して、箱型荷台２の荷室内に取り外し可能に設置されている。前後仕切り壁部材３４が箱型荷台２の荷室内に設置された状態にあっては、前後仕切り壁部材３４の上端部と箱型荷台２の荷室の天面パネル１２との間はシール部材３６を介して密閉状態となる。シール部材３６は柔軟性があるため、天面パネル１２に開口溝が設けられていない部分においても前後仕切り壁３４を箱型荷台２の荷室内に設置することができる。前後仕切り壁部材３４は、その壁面に設けられた挿通部に周知のラッシングベルトを挿通し、このラッシングベルトの一端を左側面パネル８の内面に設けられたラッシングレールに装着すると共にラッシングベルトの他端を右側面パネル１０の内面に設けられたラッシングレールに装着することにより、箱型荷台２の荷室に固定される（図８も参照）。
【００２２】
上述したとおりにして箱型荷台２の荷室内に左右仕切り壁部材３２及び前後仕切り壁部材３４を設置することにより、箱型荷台２の荷室内は図２に示すとおり３個の空間、即ち、前面パネル４、左側面パネル８の前方部分、右側面パネル１０の前方部分、及び前後仕切り壁部材３４によって区画される空間Ａと、前後仕切り壁部材３４、左側面パネル８の後方部分、左右仕切り壁部材３２、及び後部ドア６によって区画される空間Ｂと、前後仕切り壁部材３４、左右仕切り壁部材３２、右側面パネル１０の後方部分、及び後部ドア６によって区画される空間Ｃと、に分割される。上述したとおり、左右仕切り壁部材３２の上端部と天井レール２０との間は天井レール２０のシール部材２６と左右仕切り壁部材３２のシール部材３６を介して密閉状態であると共に、隣接する４個の左右仕切り壁部材３２の前後端面の間はシール部材３６を介して密閉状態であることに起因して、左右仕切り壁部材３２により分割された空間Ｂと空間Ｃとの間での空気の移動は防止される。また、上述したとおり、前後仕切り壁部材３４の上端部と箱型荷台２の荷室の天面パネル１２との間はシール部材３６を介して密閉状態となることに起因して、空間Ａと空間Ｂ、又は空間Ａと空間Ｃ、との間における空気の移動も防止される。これにより、左右仕切り壁部材３２により分割された荷室内の空間内への塵や埃の侵入を防止することができる。
【００２３】
左右仕切り壁部材３２及び前後仕切り壁部材３４は箱型荷台２の荷室に取り外し可能に設置されるため、分割した各空間内に収納する貨物の量に応じて各空間の容積を任意に調整することが可能である。
例えば、空間Ａに収納する貨物の量が空間Ｂ及びＣに収納する貨物の量に比べて比較的多い場合には、図６（ａ）に図示するように、図２に図示した状態から前後仕切り壁部材３４の一方を後方に移動させることで、空間Ａの容積を拡大させることができる。図６（ａ）に図示した場合よりも更に空間Ａの容積を拡大させたい場合には、図６（ｂ）に図示するように、前方に設置された左右仕切り壁部材３２を取り外すと共に前後仕切り壁３４を後方に適宜移動させることで、空間Ａの容積をさらに拡大させることができる。この場合には、左右仕切り壁部材３２が設置されていない部分の天井レール２０には後述する天井レールカバーを設置し、左右仕切り壁部材３２が設置されていない部分の床面レール２２には後述する床面レールカバーを設置するのが好ましい。
また、箱型荷台２の荷室を３個ではなく２個の空間に分割したい場合には、図６（ｃ）に図示するとおり、図２に図示した状態から前後仕切り壁部材３４の一方を取り外すことで、箱型荷台２の荷室を２個の空間に分割することもできる。さらにまた、図６（ｄ）に図示するとおり、天井レール２０及び床面レール２２を箱型荷台２の後方端から前方端まで設け、前後仕切り壁部材３４を全て取り外すと共に左右仕切り壁部材３２を更に１個追加して、箱型荷台２の荷室を左右方向に分割することもできる。
また、箱型荷台２においては、左右仕切り壁部材３２の上端部を天井レール２０に挿入すると共にその下端部を床面レール２２内に挿入しさえすれば、左右仕切り壁部材３２を荷室内の任意の場所に設置することが可能であるため、図６（ｅ）に図示するとおり、左右仕切り壁部材３２と前後仕切り壁部材３４を用いて荷室内の任意の位置に小空間Ｓを形成することもでき、仕切り壁３０により分割された荷室内の夫々の空間の容積を調整する自由度が高い。従って、収納する貨物の量に応じて夫々の空間を自由に調整ができ、箱型荷台２の荷室全体としての貨物の収納効率を高めることが可能となる。
【００２４】
次いで、図７（ａ）乃至（ｃ）に示すように、左右仕切り壁部材３２の一部又は全部を取り外し、前後仕切り壁部材３４を凹状の天井レール２０（及び床面レール２２）と交差するように上述した箱型荷台２の荷室内に設けた場合に生じる問題について説明する。この場合には、図８を参照することによって明確に理解されるとおり、天面パネル１２には凹状の天井レール２０が設けられていると共に前後仕切り壁部材３４の上端部に配設されているシール部材３６の上面は通常平坦であることにより、前後仕切り壁部材３４の上方に、前後仕切り壁部材３４で仕切られる一方の空間（空間Ｄ）と他方の空間（空間Ｅ）とを連通する開口４６が形成され、これを通って両空間間で空気が移動してしまう。
【００２５】
そこで、本発明の箱型荷台にあっては、左右仕切り壁部材３２が設置されていない天井レール２０には天井レールカバー４２が取り外し可能に装着され、箱型荷台の荷室の天井面は面一となる。天井レールカバー４２の長手方向長さは左右仕切り壁部材３２の前後方向長さと略同一であるのが好ましい。
図９及び図１０を参照して説明すると、天井レールカバー４２は、天井レール２０のレール面２０ａと対向するカバー面４２ａと、このカバー面４２ａの両側縁から上方に立設する一対のカバー側面４２ｂと、係合部４２ｃとを備える。係合部４２ｃは、カバー側面４２ｂに設けられ、箱型荷台２の天井レール２０に設けられた被係合部２０ｄと係合する。図示の実施形態においては、係合部４２ｃは、各々のカバー側面４２ｂの長手方向両端部に２個ずつ設けられ、いずれの係合部４２ｃも円形穴である。また、天井レールカバー４２の上面及び天井レール２０の内部の少なくとも一方には弾性を備えたシール部材が取り付けられている。図示の実施形態においては、天井レールカバー４２の上面、即ちカバー面４２ａの上面、にシール部材４８が取り付けられている（上述したとおり天井レール２０の内部にもシール部材２６が取り付けられている）。シール部材４８としては、例えばウレタンフォーム（発砲ポリウレタン）が使用されるが、柔軟性のある種々の発泡合成樹脂材料が利用可能である。シール部材４８は天井レールカバー４２のカバー面４２ａの上面に接着剤の如き適宜の接着手段を介して接着されている。カバー面４２ａの長手方向端部下面にはひも状の把持部５０が設けられている。
所望ならば、左右仕切り壁部材３２が設置されていない床面レール２２にも床面レールカバー４４が設置される。図９を参照して説明すると、床面レールカバー４４は、床面レール２２の開口溝と対応する形状である平板部材であって、その上面にはひも状の把持部５２が設けられている。
【００２６】
図８と図１０を比較参照して、天井レールカバー４２を天井レール２０に設置する方法について説明する。天井レールカバー４２は、左右仕切り壁部材３２が設置されていない部分の天井レール２０に装着される。
天井レールカバー４２は、カバー面４２ａが天井レール２０のレール面２０ａと対向すると共にカバー側面４２ｂが天井レール２０のレール側面２０ｂと対向するようにして天井レール２０の開口溝の内部に挿入され、その際、天井レールカバー４２のコ字状断面の弾性を利用して、天井レールカバー４２の係合部４２ｃと天井レール２０の被係合部２０ｄとを係合させることにより天井レール２０に装着される。
天井レールカバー４２が天井レール２０に装着されると、天井レールカバー４２の上面、即ちカバー面４２ａの上面、と天井レール２０との間がシール部材２６及びシール部材４８を介して密閉状態となり、上述した開口４６が天井レールカバー４２によって塞がれる。これにより、前後仕切り壁部材３４を凹状の天井レール２０と交差するように箱型荷台２の荷室内に設けた場合において、前後仕切り壁部材３４で分割された一方の空間（空間Ｄ）から他方の空間（空間Ｅ）へ開口４６を通って移動する空気の量が低減される。また、天井レールカバー４２が天井レール２０に装着された状態において、箱型荷台２の荷室の天井面が面一になることにより、前後仕切り壁部材３４を凹状の天井レール２０と交差するように箱型荷台２の荷室内に設けた場合において、上記開口４６は充分小さくなり、前後仕切り壁部材３４で分割された一方の空間（空間Ｄ）と他方の空間（空間Ｅ）との間を移動する空気の量をより一層低減させることができる。
天井レールカバー４２を天井レール２０から取り外す場合には、図９に示す天井レールカバー４２のカバー面４２ａにおける端部下面に設けられた把持部５０を把持して下方に引っ張る。これにより、天井レールカバー４２の係合部４２ｃと天井レール２０の係合部２０ｄとの係合が解除され、天井レールカバー４２は天井レール２０から取り外すことができる。
【００２７】
また、箱型荷台２においては、仕切り壁３０により分割された複数個の空間のいずれかを断熱材で囲み、断熱材により囲まれた空間に室内を冷却するエバポレータを設置することにより、断熱材で囲まれた空間の室温を常温よりも低くすることができる。この場合には、左右仕切り壁部材３２及び前後仕切り壁部材３４は、発泡ポリスチレン等の断熱材をポリカーボネートの如き樹脂製薄板で両側から挟み込んだ所謂サンドウィッチ構造式断熱パネルが用いられる。さらに、前面パネル４、後部ドア６、左側面パネル８、右側面パネル１０、及び天面パネル１２は、断熱材を金属製薄板で両側から挟み込んだサンドウィッチ構造断熱パネルが用いられ、床部材１４には適宜の断熱材が配設されるのが好ましい。
そして、例えば、図２で示す空間Ａと空間Ｂの天面パネル１２の下面に夫々図示しないエバポレータを配設し、このエバポレータを夫々適宜の冷凍装置に接続し、空間Ａの室温を−２０℃に設定して冷凍室とし、空間Ｂの室温を＋５℃に設定して冷蔵室とし、空間Ｃの室温は常温のままでドライ室とする。この場合には、上述したとおり、左右仕切り壁部材３２の上端部と天井レール２０との間は天井レール２０のシール部材２６と左右仕切り壁部材３２のシール部材３６を介して密閉状態であると共に、隣接する４個の左右仕切り壁部材３２の前後端面の間はシール部材３６を介して密閉状態であり、左右仕切り壁部材３２により分割された空間Ｂ（冷蔵室）と空間Ｃ（ドライ室）との間での冷気又は暖気の移動が防止され、冷凍装置による冷却効率の低下を防ぐことができる。そして、冷凍品を冷凍室（空間Ａ）に、冷蔵品を冷蔵室（空間Ｂ）に、温度管理を要しない通常貨物をドライ室（空間Ｃ）に、夫々収納することにより、冷凍品、冷蔵品、通常貨物を同一の箱型荷台２の荷室に収納して配送することができ、輸送効率を高めることが可能となる。
【００２８】
以上本発明の箱型荷台について添付した図面を参照して詳細に説明したが、本発明の箱型荷台はこれに限定されるものではなく、種々の変形例が考えられる。例えば、本発明の箱型荷台においては天井レール及び床面レールを箱型荷台の側面と平行に延びるようにしたが、天井レール及び床面レールを箱型荷台の前面平行に延びるようにして、前後仕切り壁の上端部を天井レールに挿入すると共にその下端部を床面レールに挿入するようにすることもできる。
【符号の説明】
【００２９】
２：箱型荷台
２０：天井レール
２２：床面レール
２６：シール部材
３０：仕切り壁
３２：左右仕切り壁部材
３４：前後仕切り壁部材
３６：シール部材
【図１】
0006403641.tif 000002
【図２】
0006403641.tif 000003
【図３】
0006403641.tif 000004
【図４】
0006403641.tif 000005
【図５】
0006403641.tif 000006
【図６】
0006403641.tif 000007
【図７】
0006403641.tif 000008
【図８】
0006403641.tif 000009
【図９】
0006403641.tif 000010
【図１０】
0006403641.tif 000011
【図１１】
0006403641.tif 000012